【手続補正書】
【提出日】平成31年3月13日(2019.3.13)
【手続補正１】
【補正対象書類名】特許請求の範囲
【補正対象項目名】請求項１７
【補正方法】変更
【補正の内容】
【請求項１７】
前記フレームは少なくとも部分的に黒色の陽極酸化材料を含み、
前記複数の傾斜側壁および前記複数の底側壁のうちの１つ以上の側壁は、前記複数の傾斜側壁のうちの１つ以上の外表面から前記フレームの内部に延びる、または、前記複数の底側壁のうちの１つ以上の外表面から前記フレームの内部に延びる１つ以上の溝と表面テクスチャ加工とを含む、請求項１６に記載の照明装置。
【手続補正２】
【補正対象書類名】明細書
【補正対象項目名】００４４
【補正方法】変更
【補正の内容】
【００４４】
はじめに図７Ａを参照して、改良バッフルフレーム７０２と一体化された光学素子７０４の模式図７００を示す。バッフルフレーム７０２は、図３-６を参照して前記したようなバッフルフレーム３０４の例であってもよい。光学素子７０４は、図３-６を参照して前記したような光学素子２０２の例であってもよい。バッフルフレームまたはフレーム７０２は、ワークから反射して離れ、もしこの部材がなければバッフルおよび光学素子７０４の方に出射する光を捕捉するように設計される。バッフルフレーム７０２はまた、光学素子７０４を受けて保持するよう構成された光学ホルダであってもよい。図７Ａ、７Ｂに示す光学素子７０４は、断面視が多角形である。バッフルフレーム７０２は、フレーム７０２が光学素子７０４を支持するように、光学素子７０４と一体化される。たとえば、光学素子７０４は、バッフルフレーム７０２内に機械的に結合および／または搭載することができる。図７Ａに示すように、バッフルフレーム７０２は、フレームの長さ方向に形成され、光学素子７０４を受けるに適した中央内表面７１４を含む。たとえば、内表面７１４は、水平Ｙ軸方向に延びる平表面である。光学素子７０４は、断面視が台形であり、フレーム７０２の内表面７１４は光学素子７０４の最上外表面に平行である。このように、内表面７１４は、光学素子７０４の外表面と面共有接触する。また、内表面７１４の長さと幅は、光学素子７０４の長さと幅に合うよう適切に調整することができる。一例において、長さｌおよび幅ｗの光学素子に対して、内表面７１４の長さおよび幅は光学素子７０４の長さｌおよび幅ｗと実質的に等しくすることができる。さらに、バッフルフレーム７０２は、光源からの光が光結合素子に通ることを可能とする表面開口窓フレームであってもよい。代替的に、バッフルフレーム７０２は発光デバイス１１０のような光源を含むことができる。
【手続補正３】
【補正対象書類名】明細書
【補正対象項目名】００４５
【補正方法】変更
【補正の内容】
【００４５】
図３Ａ、３Ｂのバッフルフレーム３０４と同様に、バッフルフレーム７０２は、バッフルフレーム７０２の複数の側部の最上面７１０からそれぞれ長さＬ延びる複数の垂直側壁（垂直面）７１２を含む。垂直側壁７１２は、その上に光源（たとえばＬＥＤ１１０）および光学素子７０４からの光が照射されるワーク（図７Ａでは図示せず）に対して実質的に垂直に配置される。ここで、ワーク２６は水平Ｙ軸方向に沿って配置され、垂直側壁７１２は垂直Ｚ軸方向に沿って延びることができる。長さＬの個々の側壁７１２は、バッフルフレーム７０２の最上面７１０からバッフルフレーム７０２の底面７０６に延びる。ここで、バッフルフレーム７０２の底面（底側壁）７０６は、垂直側壁７１２に対して垂直方向に水平に（たとえばＹ軸方向に）配置することができる。さらに、底面７０６は、光学素子７０４の底面７１８と同レベルであってもよい。光学素子２０２の底面３２２を超えて延びる垂直側壁２１４（図３Ａ、３Ｂ）に対して、バッフルフレーム７０２の垂直側壁７１２は、光学素子７０４の底面７１８まで（超えずに）延びる。個々の底側壁７０６は、複数の垂直側壁７１２のうちの一方と２つの傾斜側壁７１６のうちの一方との間で、水平に長さＬ１（Ｙ軸方向に）延びる。個々の傾斜側壁（傾斜面）７１６は、底側壁３１６から傾斜し（たとえば、水平Ｙ軸を基準として角度βで）、光学素子７０４に結合される。ここで、角度βは、９０?と１８０?の間の範囲（９０?≦β＜１８０?）の鈍角である。たとえば、β＝９０?であるとき、傾斜側壁７１６は底面７０６に対して垂直で、バッフルフレーム７０２の垂直側壁７１２に対して平行であることができる。換言すれば、傾斜側壁７１６は、垂直または非垂直に傾斜し、バッフルフレーム７０２の内部の方に、底面７０６およびワーク（図７Ａでは図示せず）から離れて延びる。図３Ａの角度αと同様に、角度βは光学素子７０４の形状に応じて調整することができる。図７Ａにおいて、角度βは、水平Ｙ軸を基準として、光学素子７０４の断面視台形に合うように約１００?に調整することができる。なお、傾斜側壁７１６はバッフルフレーム７０２の傾斜内表面と称すことができる。
【手続補正４】
【補正対象書類名】明細書
【補正対象項目名】００４６
【補正方法】変更
【補正の内容】
【００４６】
バッフルフレーム７０２の傾斜側壁７１６は、反射光が周囲媒体の方に漏洩するのを遮断することができ、それによって、レンズアセンブリの側部およびバッフルフレーム７０２の外表面の周囲に出射する光の量を低減することができる。したがって、バッフルフレーム７０２は、標準的なフレーム（たとえば、図２Ａの標準的なフレーム２０４）よりも、より多くのフレーム材料を充分に含む。図３Ｂと同様に、バッフルフレーム７０２は、溝または粗テクスチャ７０８を含むことができる。図３Ｂに示す傾斜面とは対照的に、溝および／または表面テクスチャ加工７０８は、バッフルフレーム７０２の底面上に形成することができる。一例として、底側壁７０６はそれぞれ、底側壁７０６の外表面からバッフルフレーム７０２の内部に垂直に延びる複数の溝または切欠７０８を含むことができる。非限定的な１つの例として、複数の底側壁７０６のそれぞれの上に形成され、それぞれの長さがＬ２である８つの等間隔の矩形状の溝を示す。溝の形状および間隔は種々可能であり、非限定的に、シリンドリカル形状、Ｖ字形状等が可能である。溝７０８は、バッフルフレーム７０２の底側壁７０６上に溝を化学的または機械的にエッチングすることで、形成することができる。たとえば、レーザを用いてバッフルフレーム７０２を機械的に加工して、矩形状パターンの溝を形成することができる。レーザエッチング、スクライブ、化学的エッチング等の多くの方法で、種々の形状の溝７０８を製造することができる。他の例において、底側壁７０６は代替的にまたは付加的に、突起、陥凹表面、粗テクスチャ等の表面テクスチャ加工を含むことができる。溝または粗テクスチャに入射した反射光は、溝の内部／または粗テクスチャ上で付加的な散乱を受け、それによって、周囲媒体内およびバッフルフレーム７０２の外側に戻る光の量を低減することができる。ここで、図７Ｂに示すように、溝７０８は、バッフルフレーム７０２の底面７０６を端から端まで延びることができる。図７Ｂを参照して、バッフルフレーム７０２の部分的非限定的な例の側面図７５０を示す。溝７０８は、バッフルフレーム７０２の底側壁７０６上に形成される。このように、光は溝７０８の内部で溝７０８に沿って、付加的な散乱を受けることができる。一実施形態において、バッフルフレーム７０２は、光を吸収する材料により被覆される、および／または、少なくとも部分的にあるいは全体的に当該材料を含むことができ、それによって、迷光反射がバッフルフレーム７０２の周囲に漏洩することをさらに低減することができる。図７５０において、バッフルフレーム７０２の複数の平坦な側部は、反射光を吸収して光散乱を低減するために黒色に陽極酸化されることができる。たとえば、複数の垂直側壁７１２、複数の平底側壁７０６、水平最上面７１０、および複数の傾斜側壁７１６はそれぞれ、黒色の陽極酸化材料により被覆される、または全体的に黒色の陽極酸化材料を含むことができる。代替的に、バッフルの残りの部分が黒色に陽極酸化され、複数の底側壁７０６のみが光を反射させてバッフルフレーム７０２の下方に位置するワーク上に戻す光反射性材料により被覆されることができる。